(57)【要約】【課題】利用状況に関わらず格納されたチューナに関する情報を維持することができる放送受信装置を提供する。【解決手段】放送受信装置１は、放送波を受信するＴＶチューナ１０と、ＴＶチューナ１０の動作設定であるＴＶ利用情報１２Ａと、ＰＣ２と通信するための通信部１３と、利用者の認証に用いる利用者認証情報１２Ｂとを格納する記憶部１２と、外部から入力する利用者の情報と記憶部１２の利用者認証情報１２Ａとを照合して、一致した場合にのみＰＣ２に対してＴＶ利用情報１２Ｂの書き換えを許可する利用者認証部１１とを有する。【選択図】図２
2010081148.tif 000002
【特許請求の範囲】
【請求項１】
放送波を受信するチューナと、
前記チューナの動作設定である利用情報と、利用者の認証に用いる利用者認証情報とを格納する記憶部と、
外部と通信する通信部と、
前記通信部を介して前記外部から入力する利用者の情報と前記記憶部の前記利用者認証情報とを照合して、一致した場合にのみ前記利用情報の前記外部からの書き換えを許可する利用者認証部とを有することを特徴とする放送受信装置。
【請求項２】
前記利用者認証部は、前記外部から入力する利用者の情報と前記利用者認証情報とが一致した場合にのみ、前記利用情報の前記外部からの読み出しを許可することを特徴とする請求項１に記載の放送受信装置。
【請求項３】
前記記憶部は、前記利用情報として、前記チューナが選局するチャンネル情報、録画予約情報、及び前記利用者の嗜好情報のうち少なくとも１つを有することを特徴とする請求項１に記載の放送受信装置。
【請求項４】
放送波を受信するチューナと、
前記チューナの動作設定である利用情報を格納する記憶部と、
前記チューナを介してＥＰＧ情報を取得し、前記ＥＰＧ情報を解析して前記利用情報と一致する内容を検出するＥＰＧ解析部と、
前記ＥＰＧ解析部が前記利用情報と一致する前記内容を検出した場合、利用者に前記内容を啓示する通知部とを有することを特徴とする放送受信装置。
【発明の詳細な説明】
【技術分野】
【０００１】
本発明は、放送受信装置に関する。
【背景技術】
【０００２】
従来、後付けの外部チューナを使用する場合に、外部チューナに内蔵された記憶部に情報を保存する放送受信装置が知られている（例えば、特許文献１参照）。
【０００３】
この放送受信装置は、後付けの外部チューナに不揮発性メモリが備えられているか確認し、外付けの外部チューナに不揮発性メモリが備えられている場合、チューナに関する設定情報や番組予約情報等の外部チューナに関する情報を不揮発性メモリに保存するため、外付けの外部チューナを外した際に放送受信装置本体のメモリを余分に使用することがなく、複数の外付けの外部チューナを入れ替えて使用する場合に、それぞれの外部チューナの設定を維持することができる。
【特許文献１】特開２００４−６４２９０号公報
【発明の開示】
【発明が解決しようとする課題】
【０００４】
しかし、従来の放送受信装置によると、外部チューナを他の放送受信装置において使用した場合、不揮発性メモリに保存された情報が他の利用者が使用する放送受信装置において書き換えられる恐れがあり、必ずしも情報を維持できるとは限らないという問題がある。
【０００５】
従って、本発明の目的は、利用状況に関わらず格納されたチューナに関する情報を維持することができる放送受信装置を提供することにある。
【課題を解決するための手段】
【０００６】
（１）本発明は上記目的を達成するため、放送波を受信するチューナと、前記チューナの動作設定である利用情報と、利用者の認証に用いる利用者認証情報とを格納する記憶部と、外部と通信する通信部と、前記通信部を介して前記外部から入力する利用者の情報と前記記憶部の前記利用者認証情報とを照合して、一致した場合にのみ前記利用情報の前記外部からの書き換えを許可する利用者認証部とを有することを特徴とする放送受信装置を提供する。
【０００７】
上記構成によれば、利用者の情報と利用者認証情報とが一致した場合に利用情報の書き換えを許可するため、外部において利用情報を使用することができず、チューナに関する情報が書き換えられることなく、情報を維持することができる。
【０００８】
（２）また、本発明は上記目的を達成するため、放送波を受信するチューナと、前記チューナの動作設定である利用情報を格納する記憶部と、前記チューナを介してＥＰＧ情報を取得し、前記ＥＰＧ情報を解析して前記利用情報と一致する内容を検出するＥＰＧ解析部と、前記ＥＰＧ解析部が前記利用情報と一致する前記内容を検出した場合、利用者に前記内容を啓示する通知部とを有することを特徴とする放送受信装置を提供する。
【０００９】
上記構成によれば、維持した情報によって逐次ＥＰＧ情報を取得することで、例えば、利用者の嗜好に合った番組の情報を通知部を介して利用者に啓示することができる。
【発明の効果】
【００１０】
本発明によれば、利用状況に関わらず格納されたチューナに関する情報を維持することができる。
【発明を実施するための最良の形態】
【００１１】
以下に、本発明の放送受信装置の実施の形態を、図面を参照して詳細に説明する。
【００１２】
［第１の実施の形態］
（放送受信装置の構成）
図１は、本発明の第１の実施の形態に係る放送受信装置の構成例を示す外観図である。
【００１３】
この携帯型放送受信装置１は、例えば、パーソナルコンピュータ（ＰＣ）２のＵＳＢ（Ｕｎｉｖｅｒｓａｌ  Ｓｅｒｉａｌ  Ｂｕｓ）ポート２４Ａに接続されてＵＳＢバスパワー等により電源供給されることで動作し、内蔵されたアンテナを用いて放送波からトランスポートストリームを受信して、選局したチャンネルのコンテンツデータをローカル暗号化してＰＣ２に送信する。ＰＣ２は、ＬＣＤ（Ｌｉｑｕｉｄ  Ｃｒｙｓｔａｌ  Ｄｉｓｐｌａｙ）等の表示画面からなり画像を表示する表示部２２を有する上部筐体２０と、キーボード２３Ａやタッチパッド２３Ｂ等の操作部とＵＳＢポート２４Ａとを有する下部筐体２１とから構成され、携帯型放送受信装置１から受信したコンテンツデータを復号化して再生する。なお、携帯型放送受信装置１とＰＣ２との接続はＵＳＢに限らず、他の規格を用いてもよい。また、無線通信によって接続されていてもよい。
【００１４】
下部筐体２１は、内部に図示しないＳＳＤ（Ｓｏｌｉｄ  Ｓｔａｔｅ  Ｄｒｉｖｅ）やＨＤＤ（Ｈａｒｄ  Ｄｉｓｃ  Ｄｒｉｖｅ）等の不揮発性メモリである記憶部や、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等の揮発性メモリであるメモリ等との電子部品とともに、ＣＰＵ（Ｃｅｎｔｒａｌ  Ｐｒｏｃｃｅｓｓｉｎｇ  Ｕｎｉｔ）等の制御部を有する。
【００１５】
図２は、本発明の第１の実施の形態に係る放送受信装置の構成例を示すブロック図である。
【００１６】
携帯型放送受信装置１は、アンテナ１０Ａを介して放送波からトランスポートストリームを受信して選局したチャンネルのコンテンツデータをローカル暗号化するＴＶチューナ１０と、予め登録された利用者を認証する利用者認証部１１と、不揮発性メモリであり情報を格納する記憶部１２と、ＵＳＢ端子１３Ａを介してＰＣ２と通信するとともにＴＶチューナ１０においてローカル暗号化されたコンテンツデータをＰＣ２に送信する通信部１３とを有する。
【００１７】
記憶部１２は、予め登録された利用者の利用者名やパスワード等を保存する利用者認証情報１２Ａと、ＴＶチューナ１０が受信するよう設定された放送局を示すチャンネル情報や録画予約情報等を保存するＴＶ利用情報１２Ｂとを格納する。
【００１８】
なお、利用者認証情報１２Ａは、工場出荷時は登録されておらず、携帯型放送受信装置１が初めてＰＣ２と接続されたときに、表示部２２の表示画面上に表示されるＴＶアプリケーション２５Ａの利用者認証情報の設定表示に操作部２３を用いて利用者によって利用者名とパスワードとを入力されることで設定される。
【００１９】
なお、チャンネル情報とは、チャンネル番号、チャンネルに対応したＴＶチューナ１０の受信周波数等である。また、録画予約情報とは、録画開始日時、録画終了日時、チャンネル番号、録画予約番組のイベントＩＤ等である。イベントＩＤは、ＴＶチューナ１０が受信するＥＰＧ（Ｅｌｅｃｔｒｉｃ  Ｐｒｏｇｒａｍ  Ｇｕｉｄｅ）に含まれる内容である。
【００２０】
図３は、本発明の第１の実施の形態に係るＰＣの構成例を示すブロック図である。
【００２１】
ＰＣ２は、ＬＣＤ等の表示部２２と、キーボード２３Ａ及びタッチパッド２３Ｂを有し操作内容に応じて操作信号を出力する操作部２３と、ＵＳＢポートを介して携帯型放送受信装置１と通信する通信部２４と、ＳＳＤやＨＤＤ等であって情報を格納する記憶部２５と、ＣＰＵ等であって各部を制御する制御部２６と、制御部２６が処理する情報を一時的に格納するメモリ２７とを有する。
【００２２】
記憶部２５は、携帯型放送受信装置１から受信したコンテンツデータを復号化した後にデコードして表示部２２の表示画面上にＴＶ番組として表示処理したり、映像情報として記憶部２５に録画処理するＴＶアプリケーション２５Ａと、携帯型放送受信装置１と通信部２４を介して通信することで携帯型放送受信装置１の動作を制御する放送受信装置コントローラ２５Ｂとを格納する。なお、ＴＶアプリケーション２５Ａと、放送受信装置コントローラ２５Ｂとは、制御部２６において実行される。
【００２３】
また、ＴＶアプリケーション２５Ａは、表示部２２の表示画面上にＧＵＩ（Ｇｒａｐｈｉｃ  Ｕｓｅｒ  Ｉｎｔｅｒｆａｃｅ）を出力し、利用者認証情報の設定、チャンネル選択、録画、アプリケーションの終了等の操作要求を受け付ける機能を有する。
【００２４】
また、放送受信装置コントローラ２５Ｂは、携帯型放送受信装置１に対してチャンネル設定やコンテンツデータ送信等の要求を送信する機能、携帯型放送受信装置１からコンテンツデータを受信する機能、及び携帯型放送受信装置１に対して電源供給を行う機能を有する。
【００２５】
（動作）
以下に、本発明の第１の実施の形態における放送受信装置の動作を各図を参照しつつ説明する。
【００２６】
図４は、本発明の第１の実施の形態に係る放送受信装置の動作例を示すフローチャートである。
【００２７】
利用者認証部１１は、携帯型放送受信装置１がＰＣ２と接続されている状態で、ＰＣ２においてＴＶアプリケーション２５Ａが起動されたことを検出すると（Ｓ１；Ｙｅｓ）、利用者を認証するようにＴＶアプリケーション２５Ａに要求を送信する（Ｓ２）。
【００２８】
次に、利用者認証部１１は、ＰＣ２のＴＶアプリケーション２５Ａにおいて利用者名及びパスワードが入力されて、それを受信すると（Ｓ３；Ｙｅｓ）、利用者名及びパスワードが利用者認証情報１２Ａと一致するか照合する（Ｓ４）。なお、ＰＣ２の記憶部２５等に予め利用者名及びパスワードを登録しておいて、それらを呼び出す構成としてもよい。
【００２９】
次に、利用者認証部１１は、照合が一致した場合（Ｓ５；Ｙｅｓ）、利用者を正規利用者として認識し、携帯型放送受信装置１を動作させる（Ｓ６）。また、ステップＳ３において利用者名及びパスワードが入力されない場合（Ｓ３；Ｎｏ）、及びステップＳ５において照合が一致しない場合（Ｓ５；Ｎｏ）、利用者をゲスト利用者として認識し、携帯型放送受信装置１を動作させる（Ｓ７）。
【００３０】
ここで、正規利用者として認識された場合の携帯型放送受信装置１に許可される動作は、例えば、利用者認証情報１２Ａの読み出し／書き換えや、ＴＶ利用情報１２Ｂの読み出し／書き換えである。放送受信装置コントローラ２５Ｂは、ＴＶ利用情報１２Ｂをメモリ２７にコピーして、ＴＶアプリケーション２５Ａ及びＴＶチューナ装置コントローラ２５Ｂを動作させて携帯型ＴＶチューナ装置１を制御する。
【００３１】
また、ゲスト利用者として認識された場合の携帯型放送受信装置１に利用者認証情報１２Ａの読み出し／書き換え、及びＴＶ利用情報１２Ｂの読み出し／書き換えは許可されず、ＴＶアプリケーション２５Ａは、メモリ２７に一時的にＴＶ利用情報を生成してＴＶアプリケーション２５Ａ及びＴＶチューナ装置コントローラ２５Ｂを動作させて携帯型ＴＶチューナ装置１を制御する。
【００３２】
図５は、本発明の第１の実施の形態に係る放送受信装置の動作例を示すフローチャートである。
【００３３】
利用者認証部１１は、ＴＶアプリケーション２５Ａから放送局の情報や番組録画予約の情報等であるＴＶ利用情報１２Ｂの取得要求を受信すると（Ｓ１０）、図４の動作において利用者を正規利用者として認識した場合（Ｓ１１；Ｙｅｓ）、記憶部１２のＴＶ利用情報１２Ｂを通信部１３を介してＴＶアプリケーション２５Ａに送信する（Ｓ１２）。ＴＶアプリケーション２５Ａは、受信したＴＶ利用情報１２Ｂをメモリ２７に一時的に格納する。
【００３４】
また、利用者認証部１１は、図４の動作において利用者をゲスト利用者として認識した場合（Ｓ１１；Ｎｏ）、ＴＶ利用情報１２Ｂを送信せずに、エラーを通知する（Ｓ１３）。
【００３５】
また、ＴＶアプリケーション２５Ａの使用中に、チャンネル情報の変更や、新たな録画予約情報の追加等が生じ、メモリ２７に読み込んだＴＶ利用情報１２Ｂが更新された場合、図４の動作において利用者を正規利用者として認識した場合（Ｓ１１；Ｙｅｓ）、放送受信装置コントローラ２５Ｂは、ＴＶアプリケーション２５Ａの終了時に更新されたＴＶ利用情報で携帯型放送受信装置１のＴＶ利用情報１２Ｂを上書きする。
【００３６】
（第１の実施の形態の効果）
上記した第１の実施の形態によると、携帯型放送受信装置１は、利用者が正規利用者であった場合にのみＴＶ利用情報１２Ｂの読み出し／書き換えを許可するため、正規利用者以外の利用者が使用した場合にＴＶ利用情報１２Ｂが書き換えられることなく維持することができる。
【００３７】
なお、利用者認証情報１２Ａに登録できる利用者は複数でもよく、登録利用者が複数の場合は、それぞれの利用者に対してＴＶ利用情報１２Ｂを保存する構成としてもよい。また、携帯型放送受信装置１が接続するＰＣ２は毎回同一のＰＣでなくてもよく、前回接続したＰＣ２とは異なるＰＣに接続しても、図４のステップにより正規利用者と判断できれば、ＴＶ利用情報１２Ｂの読み書きが可能である。
【００３８】
［第２の実施の形態］
図６は、本発明の第２の実施の形態に係る放送受信装置の構成例を示すブロック図である。なお、以下の説明において、第１の実施の形態と同一の構成、及び機能を有する部分については共通の符号を付している。
【００３９】
携帯型放送受信装置１は、ＴＶチューナ１０、利用者認証部１１及び記憶部１２に加え、ＴＶ利用情報１２Ｂに追加して保存された利用者の嗜好情報に基づいてＥＰＧ（Ｅｌｅｃｔｒｉｃ  Ｐｒｏｇｒａｍ  Ｇｕｉｄｅ）を解析するＥＰＧ解析部１４と、ＥＰＧ解析部１４が利用者の嗜好情報に一致した番組を検出した場合に利用者にその旨を表示する通知部１５と、充電池であってＰＣ２との接続時にバスパワーによって充電されるとともに通常は携帯型放送受信装置１の各部に電力を供給するバッテリ１６とを有する。ここで、嗜好情報とは、利用者の好みのＴＶ番組のジャンル、利用者が設定したキーワード等である。
【００４０】
通知部１５は、点灯や点滅のパターンによって利用者に情報を啓示するＬＥＤ（Ｌｉｇｈｔ  Ｅｍｉｔｔｉｎｇ  Ｄｉｏｄｅ）１５Ａと、画像や文字によって利用者に情報を啓示する液晶表示部１５Ｂとを有する。
【００４１】
（動作）
携帯型放送受信装置１は、ＰＣ２に接続されていない状態において、バッテリ１６からの電力供給により単体で動作する。
【００４２】
図７は、本発明の第２の実施の形態に係る放送受信装置の動作例を示すフローチャートである。
【００４３】
まず、ＥＰＧ解析部１４は、例えば、０時及び１２時等の予め定められたＥＰＧ取得時刻になると（Ｓ２０；Ｙｅｓ）、アンテナ１０Ａ及びＴＶチューナ１０を介してＥＰＧ情報を取得する（Ｓ２１）。次に、ＴＶ利用情報１２Ｂの利用者の嗜好情報に基づいてＥＰＧ情報を解析し、一致する番組を検出する（Ｓ２２）。
【００４４】
次に、利用者の嗜好情報に一致する該当番組があった場合（Ｓ２３；Ｙｅｓ）、通知部１５のＬＥＤ１５Ａや液晶表示部１５Ｂを用いて利用者に該当番組がある旨を通知する（Ｓ２４）。また、該当番組がない場合（Ｓ２３；Ｎｏ）、ステップＳ２０へと戻る。
【００４５】
（第２の実施の形態の効果）
上記した第２の実施の形態によると、第１の実施の形態の効果に加え、ＴＶ利用情報１２Ｂを保持しているため、逐次ＥＰＧ情報を取得することで利用者の嗜好に合った番組の情報を通知部１５を介して利用者に啓示することができる。
【図面の簡単な説明】
【００４６】
【図１】本発明の第１の実施の形態に係る放送受信装置の構成例を示す外観図である。
【図２】本発明の第１の実施の形態に係る放送受信装置の構成例を示すブロック図である。
【図３】本発明の第１の実施の形態に係るＰＣの構成例を示すブロック図である。
【図４】本発明の第１の実施の形態に係る放送受信装置の動作例を示すフローチャートである。
【図５】本発明の第１の実施の形態に係る放送受信装置の動作例を示すフローチャートである。
【図６】本発明の第２の実施の形態に係る放送受信装置の構成例を示すブロック図である。
【図７】本発明の第２の実施の形態に係る放送受信装置の動作例を示すフローチャートである。
【符号の説明】
【００４７】
１…携帯型放送受信装置、２…パーソナルコンピュータ（ＰＣ）、１０…ＴＶチューナ、１０Ａ…アンテナ、１１…利用者認証部、１２…記憶部、１２Ａ…利用者認証情報、１２Ｂ…ＴＶ利用情報、１３…通信部、１３Ａ…ＵＳＢ端子、１４…解析部、１５…通知部、１５Ａ…ＬＥＤ、１５Ｂ…液晶表示部、１６…バッテリ、２０…上部筐体、２１…下部筐体、２２…表示部、２３Ａ…キーボード、２３Ｂ…タッチパッド、２３…操作部、２４…通信部、２４Ａ…ＵＳＢポート、２５…記憶部、２５Ａ…ＴＶアプリケーション、２５Ｂ…放送受信装置コントローラ、２６…制御部、２７…メモリ
【図１】
2010081148.tif 000003
【図２】
2010081148.tif 000004
【図３】
2010081148.tif 000005
【図４】
2010081148.tif 000006
【図５】
2010081148.tif 000007
【図６】
2010081148.tif 000008
【図７】
2010081148.tif 000009